(57)【特許請求の範囲】
【請求項１】
ユーザがファンとして支持しているタレントからのモーニングコールを受けるためのモーニングコールシステムであって、
前記ユーザがファンとして支持している前記タレントを選択して前記ユーザの名前とともに前記モーニングコールに関する所定の情報を設定する設定登録部と、
前記タレントが前記名前の呼びかけ音声及び前記ユーザに向けた音声メッセージを登録する音声メッセージ登録部と、
前記モーニングコールの時刻に前記ユーザに電話をかけて前記呼びかけ音声及び前記音声メッセージを通知する音声メッセージ通知部と、
前記タレントの活動に関する広告メッセージを前記タレントのファンとして支持している前記ユーザに通知するために登録する広告登録部と、
前記設定登録部によって登録された内容に応じて、前記ユーザが支払うべき費用を算出するユーザ費用算出部と、
前記広告登録部によって登録された内容に応じて、前記タレントが支払うべき費用を算出するタレント費用算出部と、
を備え、
前記音声メッセージ通知部は、前記呼びかけ音声及び前記音声メッセージとともに前記広告メッセージを通知し、
前記タレント費用算出部は、前記タレントが受け取るべき報酬と支払うべき広告費との相殺を行って前記タレントが支払うべき費用又は受け取るべき報酬を算出することを特徴とするモーニングコールシステム。
【請求項２】
請求項１に記載のモーニングコールシステムにおいて、
前記タレントが予め登録した複数の音声を組み合わせることで、前記ユーザの名前を呼びかける音声メッセージを生成する自動メッセージ生成部を備えることを特徴するモーニングコールシステム。
【発明の詳細な説明】
【技術分野】
【０００１】
本発明は、モーニングコールシステムに関する。
【背景技術】
【０００２】
従来、朝の目覚めの手段として、目覚まし時計やモーニングコールなどが利用されている。本発明に関連する技術として、例えば、特許文献１には、インターネット網を介してユーザ端末とサービス提供サーバとが接続されて成るモーニングコールサービスシステムであって、ユーザ端末は、スケジュール管理用ソフトを搭載し、スケジュール管理用ソフトを用いて作成されたスケジュール情報をサービス提供サーバに送信し、サービス提供サーバは、送信されたスケジュール情報に基づくモーニングコールサービスを、ユーザ端末により予め指定された電話番号に対して提供することを特徴とするモーニングコールサービスシステムが開示されている。
【先行技術文献】
【特許文献】
【０００３】
【特許文献１】特開２００２−３５４１２４号公報
【発明の概要】
【発明が解決しようとする課題】
【０００４】
一般的なモーニングコールは、予め録音されたオペレータの音声などが流れるだけであるので、ユーザはモーニングコールに対する関心が薄く、モーニングコールが朝起きること楽しみの１つになっているとまで言えない。
【０００５】
本発明の目的は、ユーザが朝起きることが楽しみになるようなモーニングコールを受けることを可能とするモーニングコールサービスシステムを提供することである。
【課題を解決するための手段】
【０００６】
本発明に係るモーニングコールシステムは、ユーザがファンとして支持しているタレントからのモーニングコールを受けるためのモーニングコールシステムであって、前記ユーザがファンとして支持している前記タレントを選択して前記ユーザの名前とともに前記モーニングコールに関する所定の情報を設定する設定登録部と、前記タレントが前記名前の呼びかけ音声及び前記ユーザに向けた音声メッセージを登録する音声メッセージ登録部と、前記モーニングコールの時刻に前記ユーザに電話をかけて前記呼びかけ音声及び前記音声メッセージを通知する音声メッセージ通知部と、前記タレントの活動に関する広告メッセージを前記タレントのファンとして支持している前記ユーザに通知するために登録する広告登録部と、前記設定登録部によって登録された内容に応じて、前記ユーザが支払うべき費用を算出するユーザ費用算出部と、前記広告登録部によって登録された内容に応じて、前記タレントが支払うべき費用を算出するタレント費用算出部と、を備え、前記音声メッセージ通知部は、前記呼びかけ音声及び前記音声メッセージとともに前記広告メッセージを通知し、前記タレント費用算出部は、前記タレントが受け取るべき報酬と支払うべき広告費との相殺を行って前記タレントが支払うべき費用又は受け取るべき報酬を算出することを特徴とする。
【０００７】
また、本発明に係るモーニングコールシステムにおいて、前記タレントが予め登録した複数の音声を組み合わせることで、前記ユーザの名前を呼びかける音声メッセージを生成する自動メッセージ生成部を備えることが好ましい。
【発明の効果】
【００１０】
本発明によれば、ユーザは、自分がファンとして支持しているタレントからのモーニングコールを受けることができる。これにより、ユーザは気持ちよく目覚めることができるため、モーニングコールを受けることを朝起きることの楽しみの１つにすることができる。
【図面の簡単な説明】
【００１１】
【図１】本発明に係る実施形態のモーニングコールシステムを示す図である。
【図２】本発明に係る実施形態のモーニングコールシステムにおいて、自動メッセージ生成部を用いて音声を生成している様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態のモーニングコールシステム１０を示す図である。図２は、本発明に係る実施形態のモーニングコールシステム１０において、自動メッセージ生成部２６を用いて音声を生成している様子を示す図である。
【００１４】
モーニングコールシステム１０は、ユーザ４がファンとして支持しているタレント６からのモーニングコールを受けるためのシステムである。タレント６は、ＴＶやラジオなどで活躍する芸能人の類型の１つであり、アナウンサー、評論家、声優、アイドル歌手、俳優、お笑い芸人などを含んでいる。
【００１５】
ユーザ４は、タレント６の愛好家（ファン）である一般人である。ネットワーク２は、インターネットや電話回線などを有し、ユーザ４の通信端末とタレント６の通信端末とを接続するための通信網である。
【００１６】
モーニングコールシステム１０は、設定登録部１４と、音声メッセージ登録部１６と、音声メッセージ通知部１８と、広告登録部２０と、ユーザ費用算出部２２と、タレント費用算出部２４と、自動メッセージ生成部２６と、記憶部２８とを備える。
【００１７】
モーニングコールシステム１０において、記憶部２８以外の各機能は、ハードウェア構成、ソフトウェア構成の何れによっても実現することが可能である。例えば、ソフトウェアによって実現する場合、これらの機能は、実際にはＣＰＵあるいはＭＰＵ、ＲＡＭ、ＲＯＭなどを備えて構成されたサーバ装置上において、ＲＡＭやＲＯＭ、ハードディスク等の記録媒体に記憶されたモーニングコール用プログラムが動作することによって実現することができる。
【００１８】
記憶部２８は、設定登録部１４、音声メッセージ登録部１６、広告登録部２０などにより登録された文字データや音声データなどのデータを記録する記憶装置である。
【００１９】
設定登録部１４は、ユーザ４が所望のタレント６を選択してユーザ４の名前とともにモーニングコールに関する所定の情報を設定する機能を有する。ユーザ４の名前は、氏名を入力するものとして説明するが、例えば、ユーザ４のニックネームなどを入力してもよい。また、ユーザ４は複数のタレント６の中からモーニングコールの声が聴きたいと思うタレント６を選択して設定する。
【００２０】
モーニングコールに関する所定の情報とは、例えば、「今日は、月曜日だね。今週も一週間頑張ろうね！」などのメッセージに関するものを含んでおり、月曜日から日曜日まで毎日違うフレーズを準備することが好ましい。
【００２１】
また、メッセージの中には、ユーザ４の誕生日に配信するために、誕生日のお祝いメッセージを含めることもできる。さらに、ユーザ４がモーニングコールをかけてほしい時刻などを設定する。
【００２２】
音声メッセージ登録部１６は、タレント６が名前の呼びかけ音声及びユーザ４に向けた音声メッセージを登録する機能を有する。設定登録部１４によって、ユーザ４により選択指名されたタレント６は、当該ユーザ４の名前（例えば、まこと君）もしくはニックネーム（例えば、まこっちゃん）やユーザ４への音声メッセージ（例えば、お誕生日おめでとう！）などを登録する。
【００２３】
例えば、図２に示されるようにタレント６の通信端末（例えば、スマートフォン）でモーニングコールシステム１０にアクセスし、音声を収録して登録してもよい。
【００２４】
音声メッセージ通知部１８は、モーニングコールの時刻にユーザ４に電話をかけて呼びかけ音声及び音声メッセージを通知する機能を有する。
【００２５】
ユーザ４が、例えば、平日の月曜日から金曜日まで朝６時に設定している場合には、朝６時にユーザ４の通信端末（例えば、スマートフォンや固定電話）に自動的に電話をかけ、例えば、「まこと君、おはよう。今日は、金曜日だね。今日頑張れば、明日から休日になるので、お仕事がんばってね！」などの音声メッセージなどを自動的に配信する。
【００２６】
音声メッセージ通知部１８は、呼びかけ音声及び音声メッセージとともに広告メッセージを通知する機能を有する。広告メッセージは、広告登録部２０によって登録されたメッセージである。
【００２７】
広告登録部２０は、ユーザ４に通知するためのタレント６の活動に関する広告メッセージを登録する機能を有する。広告メッセージは、例えば、タレント６が歌手の場合に、ＣＤ、ＤＶＤ、写真集、書籍などの物販に関する情報や、ライブ、コンサート、ディナーショーなどのイベントの案内などを含めることが出来る。
【００２８】
ユーザ費用算出部２２は、設定登録部１４によって登録された内容に応じて、ユーザ４が支払うべき費用を算出する機能を有する。ユーザ費用算出部２２は、ユーザ４が好きなタレント６の音声を用いたモーニングコールをかけてもらうために必要な費用であり、例えば、一日あたり、○○円などの単価に設定し、例えば、一ヶ月単位でまとめて費用を算出することができる。
【００２９】
タレント費用算出部２４は、広告登録部２０によって登録された内容に応じて、タレント６が支払うべき費用を算出する機能を有する。タレント費用算出部２４は、タレント６が、自分を選択してくれたファン（ユーザ４）に対して、ＰＲしたい広告メッセージを配信するために必要な費用であり、例えば、一配信あたり、○○円などの単価に設定し、例えば、例えば、一ヶ月単位でまとめて費用を算出することができる。
【００３０】
タレント費用算出部２４は、ユーザ費用算出部２２が求めた費用とタレント費用算出部２４が求めた費用との相殺を行ってタレント６が支払うべき費用又は受け取るべき費用を算出する機能を有する。
【００３１】
タレント費用算出部２４は、例えば、ユーザ費用算出部２２が一ヶ月単位でまとめて算出した費用から当該タレント費用算出部２４が一ヶ月単位でまとめて算出した費用を引き、プラスとなった場合にはタレント６の報酬としてタレント６に支払い、マイナスとなった場合にはタレント６へ広告費として請求する。
【００３２】
自動メッセージ生成部２６は、タレント６が予め登録した複数の音声を組み合わせることで、ユーザ４の名前を呼びかける音声メッセージを生成する機能を有する。例えば、音声メッセージ登録部１６の機能を用いて、例えば、タレント６の「あ」から「ん」までの五十音を登録する。
【００３３】
そして、図２に示されるように、自動メッセージ生成部２６は、例えば、ユーザ４の名前が「武（たけし）」である場合は、予め登録された５０音の中から「た」「け」「し」の三文字を選び、「たけしさん♪」と文字を組み合わせて呼び名を生成することが出来る。
【００３４】
続いて、上記構成のモーニングコールシステム１０の作用について説明する。一般的に、朝起きるときには目覚まし時計などが使用されているが、目覚まし時計を使って起きること自体に関心がある人が少ない。このため、朝起きることに楽しみを見つけることが望ましい。
【００３５】
最初に、ユーザ４は、スマートフォンなどの通信端末を使ってモーニングコールシステム１０にアクセスし、ユーザ４がファンとして応援しているタレント６を選択するとともに、ユーザ４の名前やモーニングコールの際にタレント６から受け取りたいメッセージなどの情報を設定する。
【００３６】
音声メッセージ登録部１８による設定に基づいて、タレント６がユーザ４の名前を呼びかける音声とともに音声メッセージを登録すると、設定された時刻にユーザ４のスマートフォンなどに電話が自動的にかけられて、名前を呼びかけた後に音声メッセージが流れるように音声データが自動的に配信される。
【００３７】
これにより、ユーザ４は、目覚まし時計などを使用して朝起きる場合に比べて、自分が好きなタレント６の声で目覚めることができるため、朝起きる楽しみの１つにしたり、幸せを感じることができるという顕著な効果を奏する。
【００３８】
また、タレント６は、モーニングコールを求めてくれるユーザ４、つまり、ファンに対して、物販やイベントなどの案内などの広告メッセージを通知することができる。一般的に、ユーザ４が関心のない広告が音声で流れてくると鬱としい気分になることが多いが、ユーザ４自身がファンとして応援しているタレント６の活動に関する広告であるため、興味を持って聞くことができるとともに、物販の購入などタレント６の売上向上に直結しやすいという利点がある。
【００３９】
タレント６からユーザ４へ広告を配信しない場合は、ユーザ４へのモーニングコールサービスの提供により報酬を得ることができ、広告をした分だけ相殺することができ、自分の報酬の中から必要に応じて広告費をかけることができるため便利である。
【００４０】
また、モーニングコールシステム１０によれば、自動メッセージ生成部２６により、新たなユーザ４の名前をタレント６が新たに読み上げて録音せずに、予め登録した音声を組み合わせて生成することができるため、より効率良く、ユーザ４に対してモーニングコールのサービスを提供することができるという効果を奏する。
【符号の説明】
【００４１】
２  ネットワーク、４  ユーザ、６  タレント、１０  モーニングコールシステム、１４  設定登録部、１６  音声メッセージ登録部、１８  音声メッセージ通知部、２０  広告登録部、２２  ユーザ費用算出部、２４  タレント費用算出部、２６  自動メッセージ生成部、２８  記憶部。
【要約】
【課題】ユーザが朝起きることが楽しみになるようなモーニングコールを受けることを可能とするモーニングコールサービスシステムを提供することである。
【解決手段】ユーザ４がファンとして支持しているタレント６からのモーニングコールを受けるためのモーニングコールシステム１０であって、ユーザ４が所望のタレント６を選択してユーザ４の名前ともにモーニングコールに関する所定の情報を設定する設定登録部１４と、タレント６が名前の呼びかけ音声及びユーザ４に向けた音声メッセージを登録する音声メッセージ登録部１６と、モーニングコールの時刻にユーザ４に電話をかけて呼びかけ音声及び音声メッセージを通知する音声メッセージ通知部１８と、を備えることを特徴とする。
【選択図】図１【図１】
0006746863.tif 000002
【図２】
0006746863.tif 000003